(57)【要約】      （修正有）【課題】運搬と設営に容易にするための手段を施すと共に、的となる得点表示の構成を変更し、加えて複数の配色を施すことで、ゲーム形式を判り易く改善する、ダーツゲームに用いるカラーダーツボードを提供する。【解決手段】円形ボード本体１１の得点区分１３を構成する各パーツが、容易に貼り替え可能な、発砲ポリプロピレン等の合成樹脂材を使用し、軽量で持ち運びを容易にすると共に、壁面やスタンドに固定するため、当該円形ボード本体１３背面にバックボード１２を付設し、矢先にはプラスチック材等を使用して、ボードに刺さりやすく安全に配慮したものであり、更に円形ボード本体１１に表示した得点の領域を、従来の２０分割から１０分割に変更したことで、得点区分１３の各パーツ面積をそれぞれ広げると共に、青、黄、赤などの目立つＡ、Ｂ、Ｃ三種類の配色を、同色が隣り合わないように交互に施すことで、新たに色彩の判別で狙いを明確に定めることが可能となった。【選択図】図１
0003196529.tif 000002
【実用新案登録請求の範囲】
【請求項１】
発砲ポリプロピレン等の軽量な合成樹脂材を使用し、貼替交換可能な各パーツの組合せによって構成される得点区分と、その的となる得点区分全体を固定し、各パーツを嵌入着脱自在にできる構造を成す外枠リングによって形成された円形ボード本体、および円形ボード本体背面に、壁面やスタンドに固定するためのバックボードを付設したことを特徴とするカラーダーツボード。
【請求項２】
円形ボード本体の中心より放射状に１０等分に分割された得点区分の各パーツにおいて、インナーブル、アウターブル、シングル、ダブルリング、トリプルリング、それぞれの面積を広げると共に、Ａ、Ｂ、Ｃ三種類の目立つ配色を、同じ色が隣り合わないように交互に施した構成を成す請求項１記載のカラーダーツボード。
【考案の詳細な説明】
【技術分野】
【０００１】  本考案は、レクリエーションの分野における、ダーツ競技の用具について、目立つ配色を施して得点表示を判り易く構成し、安全かつ軽量素材を用いて形成されたカラーダーツボードに関するものである。
【背景技術】
【０００２】  通常競技用のダーツは、その複雑多様なゲーム方式と、独特の引き算計算方式を用いて、一定の距離から数字を表示するボードに矢を投じて得点を競う、スポーツ性を兼ね備えたものであり、近年高齢者の認知症予防、介護予防、更に機能回復ゲームとして、学術的に効果が一定の期待をされているが、日本においてまだ一般に広く認知され、汎用性のある競技とはいえない。
【考案の概要】
【考案が解決しようとする課題】
【０００３】  その理由として従来のスタンダードダーツボードは、金属製ワイヤと船舶用ロープに用いられる、サイザル麻などの固い材質を使用し、その重量は５ｋｇにもなるので、ボードの持ち運びは容易ではなく、設置の際に誤って足に落とす事故も多く、加えて矢の先端は金属で出来ているので、安全性の面からも改善する余地があった。【０００４】  また投じた矢の刺さる位置が、ゲームの性格上どうしても特定の箇所に集中するため、使用を重ねる度に、ボード表面の損傷が激しくなり、ゲーム中頻繁に矢の離脱がおこり、ゲーム進行に支障をきたす問題点があった。【０００５】  一方ゲーム方式において、通常のスタンダードダーツボードの得点表示は、２０分割にされているが、初心者が得点となる数字の位置を把握して、狙った箇所に矢を投じるのは極めて困難であり、中央のブル部分や、得点が２倍、３倍となるリング部分を狙うのは、更に至難の技となり、加えてボード表面の配色も、メーカー同士の統一性がなかったため、本来のゲームの興趣を味わうことは出来なかった。
【課題を解決するための手段】
【０００６】  本考案は上述する課題を解決するため、円形ボード本体には、得点区分を固定する外枠リングと、的になる得点区分に配した各パーツが、貼り替え交換可能な、発砲ポリプロピレンなどの合成樹脂材を使用した構造体を成し、軽量で持ち運びを容易にするとともに、本考案を壁面や任意のスタンドに固定するため、当該ボード背面にバックボードを付設し、矢先にはプラスチック材等を使用して、ボードに刺さりやすく安全に配慮したものである。【０００７】  更に得点区分を、従来の２０分割から１０分割に変更したことにより、得点区分に配した各パーツの面積がそれぞれ拡大されることになり、青、黄、赤などの目立つＡ、Ｂ、Ｃ三種類の配色を、同色が隣り合わないように交互に施すことで、新たに色彩表示によって明確に的が狙い易くなった。
【考案の効果】
【０００８】  上述のように本考案のカラーダーツボードは、従来負担となっていた重いボードの運搬と設置が安全かつ容易になり、面積を広げた得点区分に配した各パーツを色彩によって明示させることで、初心者或いは高齢者や障害者においても、狙った位置に矢を投じることが格段に容易になり、年齢、性別、体力、障害の有無、習熟度に関係なく誰でもゲームに参加でき、ダーツ本来の魅力と興趣を理解し、場所を選ばず手軽に安全に実施可能となる。加えてＡ、Ｂ、Ｃ３種類の配色を施した各パーツが、予め付属品として備えられており、ボード表面の損傷具合によっては、随時交換が可能となるなど多大な効果を奏する。
【図面の簡単な説明】
【０００９】
【図１】  本考案の正面図、
【図２】  本考案の斜視図、
【図３】  バックボードを外した本考案の正面図、
【図４】  外枠リングの正面図、
【図５】  得点区分の正面図、
【図６】  使用状態を示す図１におけるＸ−Ｘ線断面図、
【図７】  得点区分の斜視図、
【図８】  図７におけるＹ−Ｙ線断面図、
【図９】  Ａ色の配置箇所を示すＹ−Ｙ線断面図、
【図１０】  Ｂ色の配置箇所を示すＹ−Ｙ線断面図、
【図１１】  Ｃ色の配置箇所を示すＹ−Ｙ線断面図、
【図１２】  従来のスタンダードダーツボードの正面図。
【考案を実施するための形態】
【００１０】  本考案の円形ボード本体背面に付設されたバックボードを、壁面に固定或いは任意のスタンドに設置し、円形ボード本体の中心より放射状に１０等分に分割され、Ａ、Ｂ、Ｃ三種類の配色を施された的となる得点区分へ、先端がプラスチック材等を用いた矢を、各人がそれぞれ順番に３本ずつ投じて、点数を競うダーツゲームのボードに関するものである。
【実施例】
【００１１】  以下図面に基づいて実施例を説明する。１１は本考案の円形ボード本体を示し、その直径は図１２に示す従来のスタンダードダーツボード２１より一回り大きいもので、配色を施された、発砲ポリプロピレンなどの軽量合成樹脂材で形成されており、当該円形ボード本体１１に、任意のスタンドや壁面２０に固定するためのバックボード１２を設けている。【００１２】  また図３に示す円形ボード本体１１は、中心より放射状に１０等分に分割され、上下左右に同じ色が隣り合わないように、Ａ、Ｂ、Ｃ三種類の配色を交互に施された、図５に示す得点区分１３と、得点区分１３全体のパーツを固定すると共に、パーツを貼り替え交換可能に嵌入着脱できる構造をもつ、図４に示す外枠リング１４によって形成されている。【００１３】  更に得点区分１３の中心部分には、３０点の得点が付与されるＡ色のインナーブル１５と、その外側の同心円内に、１５点の得点が付与されるＣ色のアウターブル１６のパーツを配し、その外側には１０等分に分割された同心円内に、Ａ色とＢ色のパーツを交互に配列された、シングル１９が構成されている。【００１４】  シングル１９の外側の同心円内には、３倍の得点を付与されるトリプルリング１７が、Ａ色とＣ色のパーツが、同じく交互に配列されており、従来のスタンダードダーツボード２１の４倍の面積がある。更にトリプルリング１７の外側に、１０等分に分割された同心円内には、Ａ色とＢ色のパーツが交互に配列された、シングル１９を再び構成し、最も外側の同心円内に、２倍の得点を付与されるダブルリング１８が、Ａ色とＣ色のパーツで交互に配列された構造を成しており、同じくスタンダードダーツボード２１に比較して４倍の面積を有する。【００１５】  従来の２０分割で構成されたスタンダードダーツボード２１の的となる得点区分は、インナーとアウターのブル、シングルを挟んでトリプルとダブルのリングと、本考案と同様に配列されているが、その区分面積は当該考案が、従来のスタンダードダーツボード２１の約２倍となり、全体に格段に的を狙いやすく構成されている。
【符号の説明】
【００１６】１１  円形ボード本体
１２  バックボード
１３  得点区分
１４  外枠リング
１５  インナーブル
１６  アウターブル
１７  トリプルリング
１８  ダブルリング
１９  シングル
２０  壁面
２１  スタンダードダーツボード
【図１】
0003196529.tif 000003
【図２】
0003196529.tif 000004
【図３】
0003196529.tif 000005
【図４】
0003196529.tif 000006
【図５】
0003196529.tif 000007
【図６】
0003196529.tif 000008
【図７】
0003196529.tif 000009
【図８】
0003196529.tif 000010
【図９】
0003196529.tif 000011
【図１０】
0003196529.tif 000012
【図１１】
0003196529.tif 000013
【図１２】
0003196529.tif 000014